(57)【要約】【課題】  片手で引っ張るだけでペーパーを常に綺麗に切断することができるペーパーホルダーを提供する。【解決手段】  ロール紙１を回転自在に保持するホルダー本体２と、ホルダー本体２に装着された状態のロール紙１の上部に位置するように設けられた鉛直な案内軸３と、案内軸３に沿って上下動自在に支持されロール紙１上に被着される紙切用のカバー体４とによって構成されている。【選択図】図１
2018064853.tif 000002
【特許請求の範囲】
【請求項１】
帯状のペーパーを巻回してなるロール紙を回転自在に保持するホルダー本体と、前記ホルダー本体に装着された状態の前記ロール紙の上部に位置するように設けられた鉛直な案内軸と、前記案内軸に沿って上下動自在に支持され前記ロール紙上に被着される紙切用のカバー体とからなり、
前記カバー体は、前記ロール紙の径に拘わらず、該ロール紙に対して常に一定の過重が掛かるようにしたことを特徴とするペーパーホルダー。
【請求項２】
前記カバー体は、前縁が斜め下向きに形成されていることを特徴とする請求項１に記載したペーパーホルダー。
【発明の詳細な説明】
【技術分野】
【０００１】
本発明は、帯状のペーパーを巻回してなるロール紙に使用されるペーパーホルダーに関するものである。
【背景技術】
【０００２】
ペーパーホルダーの代表的なものとして、トイレットペーパーホルダーが存在しているが、一般に広く使用されているトイレットペーパーホルダーは、図７に示したように、取付基板Ａの両側縁のそれぞれに前方へ突出する一対の支持板Ｂ，Ｂを設け、これら支持板Ｂ，Ｂ間に帯状のトイレットペーパーＣを巻回してなるロール紙Ｄを回転自在に支持することで、トイレットペーパーＣを前方へ引き出し可能に保持している。また、支持板Ｂ，Ｂの基部上端に前側を円弧状に湾曲させたカバー板Ｅを回転自在に軸支することで、カバー板Ｅをロール紙Ｄの上に被着させている。そして、使用に際しては、カバー板Ｅの下から前方に垂れ下がっているトイレットペーパーＣの先端部分を片方の手で掴んで適当な長さに引き出した後、他方の手でカバー板Ｅの上面を押さえながら、引き出されたトイレットペーパーＣをさらに上方へ引っ張り、カバー板Ｅの前縁で適当な長さのトイレットペーパーＣを切断するようにしている。
【０００３】
さらに、下記特許文献１に示されたトイレットペーパーホルダーにおいては、上記のようなカバー板の前縁に方形の切欠、及び方形の突片を形成し、トイレットペーパーを引っ張った時に、トイレットペーパーがこれらの切欠や突片に引っ掛かることで容易に切断されるようにしている。また、下記特許文献２に示されたトイレットペーパーホルダーは、カバー板の下面にＶ字形のカッターを前後方向に位置調節可能に設けることで、トイレットペーパーが容易に切断されるようにしている。
【先行技術文献】
【特許文献】
【０００４】
【特許文献１】特許第５７６９１８９号公報
【特許文献２】特開２００５−２８１６３号公報
【発明の概要】
【発明が解決しようとする課題】
【０００５】
ところで、こうした従来のトイレットペーパーホルダーでは、カバー板Ｅの上面を押さえながらトイレットペーパーＣを引っ張らないと、カバー板Ｅが上方に回転してしまうため、カバー板Ｅの前縁に沿ってトイレットペーパーＣを真直ぐ綺麗に切ることが難しかった。そのため、使用者によっては、トイレットペーパーＣを所望の長さに引き出した後、カバー板Ｅの前縁を使わずに引きちぎることがあり、図７に示すような汚らしい切り端になることがあり、次にトイレに入った者に対して不快感を与えることがあった。また、トイレットペーパーホルダーは、通常、便座に座る使用者の横の壁に設けられていることから、使用者は上半身を横向きにしないとトイレットペーパーホルダーに両手を届かせることができない。そのため、幼児、老人、あるいは障害者等、横向きの体勢を取り難い者にとって非常に使い勝手が悪いという問題が生じていた。
【０００６】
こうした問題は、先に述べたとおり、カバー板Ｅが左右の支持板Ｂ，Ｂ間に回転自在に軸支されていることに起因しているが、さらにトイレットペーパーＣの使用によりロール紙の外径が変化することによって、より大きな問題を引き起こしている。すなわち、ロール紙の外径が大きいうちは、カバー板の前縁が略前向きであるのに対し、ロール紙の外径が小さくなってくると、前縁が次第に内向きに変化し、ロール紙とカバー板の前縁の接触角度が大きく異なってくる。また、カバー板がロール紙に及ぼす重量も該ロール紙の外径によって大きく変化する。それ故、特にロール紙の外径が小さくなった時には、カバー板が上方に回転し易くなってしまうと共に、カバー板の重量によりトイレットペーパーＣに張力を与えることができなくなり、片手でトイレットペーパーＣを切断することは略不可能という状況を引き起こしている。
【０００７】
そこで、本発明は、前記課題を解決すべく、ロール紙に対してカバー体から常に一定の過重が掛かるようにすると共に、カバー体の前縁の向きも常に変化しないようにし、片手で所望の長さのペーパーを切断することができるペーパーホルダーを提供することを目的としている。
【課題を解決するための手段】
【０００８】
かかる目的を達成するため本発明に係るペーパーホルダーは、帯状のペーパーを巻回してなるロール紙を回転自在に保持するホルダー本体と、前記ホルダー本体に装着された状態の前記ロール紙の上部に位置するように設けられた鉛直な案内軸と、前記案内軸に沿って上下動自在に支持され前記ロール紙上に被着される紙切用のカバー体とからなり、前記カバー体は、前記ロール紙の径に拘わらず、該ロール紙に対して常に一定の過重が掛かるようにしたことを特徴としている。
【０００９】
また、本発明に係る前記カバー体は、前縁が斜め下向きに形成しておくことが望ましい。
【発明の効果】
【００１０】
本発明に係るペーパーホルダーによれば、ロール紙に対してカバー体から常に一定の過重が掛かる。また、ペーパーの使用により、ロール紙の外径が小さくなったとしても、カバー体がロール紙に及ぼす過重が変わらないと共に、カバー体の前縁の向きも変化しないので、ペーパーを常に片手で綺麗に切断することができる。
【図面の簡単な説明】
【００１１】
【図１】ペーパーホルダーの正面図。
【図２】ペーパーホルダーの横断面図。
【図３】ペーパーホルダーの横断面図。
【図４】ペーパーホルダーの他の実施形態を示す正面図及び横断面図。
【図５】ペーパーホルダーの他の実施形態を示す正面図。
【図６】ペーパーホルダーの他の実施形態を示す斜視図。
【図７】従来のトイレットペーパーホルダーの斜視図。
【発明を実施するための形態】
【００１２】
以下、本発明に係るペーパーホルダーの実施の形態を図面に基づき説明する。なお、この実施の形態では、本発明に係るペーパーホルダーをトイレットペーパーホルダーに適用した例を用いて説明する。図１はペーパーホルダーの正面図、図２及び図３はペーパーホルダーの横断面図である。ここで、本実施形態に係るトイレットペーパーホルダー（以下、単に「ホルダー」という。）は、帯状のトイレットペーパー１ａが巻回されたロール紙１を保持するホルダー本体２と、ホルダー本体２に装着された状態のロール紙１の上部に位置するように設けられた鉛直な案内軸３，３と、該案内軸３，３に沿って上下動自在に支持されていると共にロール紙１上に被着される紙切用のカバー体４とによって概略構成されている。
【００１３】
前記ホルダー本体２は、前側と下側が開放された箱状体と、ロール紙１を回転自在に保持するロール保持手段とから成っている。すなわち、ホルダー本体２は、トイレの壁面等に固定される背面板１１の左右端のそれぞれから一対の側板１２，１２を前方に突出させると共に、背面板１１と側板１２，１２の上部に天板１３を設け、さらに、左右の側板１２，１２の対向内側部にロール紙１を回転自在に保持するための一対のロール保持手段としての芯受け部材１０，１０を設けて形成している。芯受け部材１０，１０は、図示はしないが、側板１２，１２の内側面に形成された収納溝に枢支され、バネの弾性力により、上下に傾動するようになっており、常態において、水平方向に突出し、下方から押し上げられるとバネの付勢に抗して上方へ傾動して収納溝に収まり、下方からの力を受けなくなると、バネの付勢力によって水平位置に復帰するようになっている。
【００１４】
前記案内軸３，３は、丸棒状の部材で下端部に太径部３ａ，３ａが形成されている。そして、これら案内軸３，３は、ホルダー本体２の天板１３の内側面における略前後方向の中央部であって、左右端付近のそれぞれに下方へ鉛直に垂下するように螺着されている。
【００１５】
前記カバー体４は、横断面が略半円弧状に湾曲する薄板からなっている。このカバー体４の円弧は、図２に示されているように、未使用のロール紙１の外周面よりも緩やかな円弧になっており、故に、ロール紙１をホルダー本体２に装着した状態において、カバー体４の前縁４ａと後縁は、ロール紙１の外周面よりも外側に張り出すようになっている。そして、カバー体４の前縁４ａが斜め下向きになって、常にロール紙１の外周面前端部に位置することになる。また、カバー体４の上面における前後方向の中央部であって、左右端付近のそれぞれには、軸挿通孔４ｂ，４ｂが穿設されていると共に、これら軸挿通孔４ｂ，４ｂを囲うように鉛直に起立する案内パイプ１５，１５が固設されている。この案内パイプ１５，１５は、上下方向に貫通する中空状のパイプであり、その上端には、開口端を径方向に突出させた環状の内向きフランジ部１５ａ，１５ａが形成されている。そして、ホルダー本体２の天板１３から垂下する案内軸３，３が案内パイプ１５，１５中に遊嵌されている。なお、この案内パイプ１５の内径は、案内軸３の太径部３ａの外径より若干径が大きくなっているため、案内パイプ１５は、案内軸３に沿って上下動可能になっている。さらに、ロール紙１のトイレットペーパー１ａが無くなり、カバー体４が下動し、案内軸３の下端が案内パイプ１５の上端に達すると、案内軸３の太径部３ａが案内パイプ１５の内向きフランジ１５ａに支持されることになる。従って、カバー体４が最下端まで下動しても、カバー体４が落下してしまうことはない。なお、図示はしないが、カバー体４の前縁４ａは、三角波形状の凹凸状に切り欠かれて紙切部が形成されている。ちなみに、カバー体を比較的軽量な素材で形成し、ロール紙に対するカバー体の重さが足りない時は、カバー体の上面あるいは下面に重錘を装着することも考えられる。
【００１６】
なお、案内パイプ１５，１５は、絶対的な条件ではないが、前記のようにカバー体４の前後方向中央、すなわち、カバー体４の重心位置に設けることが好ましい。また、カバー体４の重心位置が芯受け部材１０，１０（ロール保持手段）の鉛直面内に位置していることが望ましい。こうすることで、カバー体４は、ロール紙１の真上にて、常に水平状態を保持しつつ案内軸３，３に沿って自在に上下動するように支持されることになり、カバー体４の荷重がロール紙１上に直接かかることになる。また、カバー体４の前縁４ａは、カバー体４が上下動しても、常に斜め下を向く位置に保持されることになる。
【００１７】
上記実施形態におけるホルダーにロール紙１を装着するにあたっては、ロール紙１をホルダー本体２の下方から上方へ押し込むようにするのみでワンタッチ的に装着することができる。すなわち、ロール紙１を下方から押し上げると、芯受け部材１０，１０が上方へ傾動して一旦収納溝に収まる。そして、ロール紙１の芯材５が芯受け部材１０，１０の先端を通過した後、ロール紙１を押し下げると、芯受け部材１０，１０がロール紙１の芯材５の中空部に入って、ロール紙１が掛止されることになる。この時、カバー体４は、ロール紙１の上下動に連動する。すなわち、ロール紙１を押し上げると、必然的に、その上に位置するカバー体４も押し上げられ、カバー体４に固着された案内パイプ１５，１５が案内軸３，３に沿って上動する。逆に、ロール紙１を押し上げると、案内パイプ１５，１５が案内軸３，３に沿って下動する。従って、ロール紙１をホルダーに装着するにあたり、カバー体４を特に操作する必要がまったくない。
【００１８】
上記のように構成されたホルダーは、ロール紙１にカバー体４から常に一定の荷重が掛かり、その荷重に比例した摩擦抵抗はロール紙１が回転した際にも掛かることになる。そのため、使用者がトイレットペーパー１ａを図２の矢印Ａ方向、すなわち、斜め下向きに一気に引っ張ったとしても、その勢いでロール紙１が過剰に回ってしまうことはない。また、引っ張ったトイレットペーパー１ａに適度な張力が掛かるので、トイレットペーパー１ａを常に必要な長さに引き出すことができる。よって、トイレットペーパー１ａの引き出し量が適度に制限され、無駄に使用されることを防止できる。また、トイレットペーパー１ａを適度に引き出したところで、図２の矢印Ｂ方向、すなわち、少し上向きに引っ張れば、カバー体４の前縁４ａによってトイレットペーパー１ａを真直ぐ横に切断することができる。このように、トイレットペーパー１ａの引張方向と前縁４ａの向きとを略直交させることで、トイレットペーパー１ａにカバー体４の前縁４ａが食い込み易くなり、トイレットペーパー１ａは前縁４ａが当たった部位で真直に綺麗に切断される。さらに、トイレットペーパー１ａを引っ張る手と反対の手でカバー体４を押さえていなくても、言い換えれば、片方の手のみで、トイレットペーパー１ａを綺麗に切断することができるので、その使い勝手は著しく向上することになる。なお、図３に示されているように、ロール紙１を使用し、その外径が小さくなってくると、カバー体４はそれにつれて真直ぐに下降するので、カバー体４からロール紙１に掛かる荷重は変わらず、また、カバー体４の前縁４ａの向きも一定で変わることはない。そのため、ロール紙１の径の大小に拘わらず、上述の効果を享受することができる。
【００１９】
さらに、上述した案内軸３又は案内パイプ１５を伸縮自在に形成することも可能である。例えば、図４に示されているように、案内パイプ１５を径が異なる３つのパイプで形成し、該案内パイプを天板１３から垂下させるようにしても良い。このようにすることで、新しいロール紙１をホルダーに装着した際、図４（ａ）のようにカバー体４の上面と天板１３の間のスペースを狭くすることができ、ひいては、案内パイプ１５を外部から見え難くしてデザイン上の美観を向上させることができる。
【００２０】
また、本発明は、２以上のロール紙１を装着できるホルダーに対しても適用可能である。例えば、図５に示されているように、左右の側板１２，１２間に中板１８を設けるなどして、左側の側板１２と中板１８の間、中板１８と右側の側板１２の間のそれぞれにロール保持手段としての芯受け部材１０，１０、案内パイプ１５，１５が固着されたカバー体４、及び案内軸３，３を設けて構成することも可能である。
【００２１】
図６は、上記実施形態とホルダー本体の構成、及び案内軸の構成が異なる他の実施形態に係るホルダーを示している。この実施形態におけるホルダーは、トイレの壁面等に固定される矩形状の背面板２１と、背面板２１の右側面上端に固設されている第一杆部材２２と、第一杆部材２２の折曲部２２ａの内側に固設された芯受け部材２３と、背面板２１の左端上面に固設された第２杆部材２４と、芯受け部材２３に装着された状態のロール紙１上に被着される紙切用のカバー体２５とによって概略構成されている。
【００２２】
前記第一杆部材２２は、丸棒状の線材からなり、背面板２１の左側面上端から前方へ水平よりもやや下向きに延びる支持杆２２ｂと、支持杆２２の先端から折曲部２２ａを介して上方へ鉛直に延びる案内軸２２ｃとを形成している。また、前記第二杆部材２４も、丸棒状の線材からなり、背面板２１の右端上面から上方に延び、且つ直角に屈曲して前方に延びる支持杆２１ａと、支持杆２１ａの先端から直角に屈曲し、その折曲部２４ｂから下方へ鉛直に延びる案内軸２４ｃとを形成している。
【００２３】
前記芯受け部材２３は、ロール紙１を回転自在に保持するためのロール保持手段で、ロール紙１の芯材５の中空部よりも若干細径の円柱形状に形成されている。また、この芯受け部材２３は、第一杆部材２２の折曲部２２ａに片持状に固設されており、背面板２１と平行な水平方向に突出するように設けられている。なお、芯受け部材２３にロール紙１を装着するにあたっては、ロール紙１の芯材５を芯受け部材２３の右側に宛てがってそのまま挿入するのみでよい。
【００２４】
なお、この実施形態において、ホルダー本体２は、背面板２１と第一杆部材２２の支持杆２２ｂと芯受け部材２３とで構成されていることになる。ちなみに、本発明に係るホルダー本体として成立するためには、この実施形態や上記実施形態のように構成する必要は必ずしもなく、少なくともロール紙１の側部を支持する側部支持部材と、この側部支持部材に設けられたロール保持手段とを備えていれば足りる。また、ロール保持手段も、ロール紙の芯材を保持してロール紙を自在に回転し得るものであれば、その構成はどのようなものであっても良い。
【００２５】
前記カバー体２５は、横断面が略半円弧状に湾曲する薄板から形成されており、ロール紙１を芯受け部材２３に装着した状態において、カバー体２５の前縁２５ａと後縁は、ロール紙１の外周面よりも外側に張り出すようになっている。そして、カバー体２５の前縁２５ａが斜め下向きになって、常にロール紙１の外周面前端部に位置することになる。また、カバー体２５の上面には、その略中央部に把手２６が固設されていると共に、前後方向の中央部であって、左右端付近のそれぞれに上下方向に貫通する中空状の案内パイプ２６ａ，２６ｂが上方へ鉛直に突出するように固設されている。そして、第一杆部材２２の案内軸２２ｃは、カバー体２５を突出して案内パイプ２６ａ内に遊嵌され、第二杆部材２４の案内軸２４ｃは、案内パイプ２６ｂの上方から案内パイプ２６ａに遊嵌されている。なお、この実施形態における案内軸２２ｃは、案内パイプ２６ａの上端から相当の長さ突出させるようにしており、ここに予備のロール紙を常備しておくことができるようになっている。
【００２６】
なお、上記実施形態においては、案内パイプをカバー体の上面に設け、ここに案内軸を遊嵌させる例を示したが、必ずしもこのようにする必要はなく、案内軸をカバー体の上面に設け、この上方に案内パイプを設けて遊嵌させるようにしても良い。また、上記実施の形態では、カバー体の前縁自体に紙切部を形成した例を示したが、これに限られず、例えば、カバー体の前縁内側に、その幅方向に亘る長さに形成されたカッターを別途装着するようにしても良い。さらに、前記実施形態では、カバー体の形状を円弧状の板状に形成した例を示したが、必ずしも円弧状である必要はなく、また、板状である必要もない。すなわち、ホルダー本体に装着されたロール紙の外周面上部に斜め下向きに張り出すような前縁部分が存在していれば良い。また、ロール保持手段としての芯受け部材も、上記実施の形態で示したものに限られず、種々の形状のものを選択可能である。すなわち、ロール紙を回転自在に保持し得るものであれば、その形状等は自由に選択可能である。
【符号の説明】
【００２７】
１    ロール紙
１ａ  トイレットペーパー
３    案内軸
４    カバー体
４ａ  前縁
【図１】
2018064853.tif 000003
【図２】
2018064853.tif 000004
【図３】
2018064853.tif 000005
【図４】
2018064853.tif 000006
【図５】
2018064853.tif 000007
【図６】
2018064853.tif 000008
【図７】
2018064853.tif 000009